(57)【要約】  直交周波数分割多重化（ＯＦＤＭ）シンボルの生成方法において複数のコード化されたビットを生成すべく複数の情報ビットがエンコードされる。複数の情報ビットは第１の帯域幅に対応するもののＯＦＤＭシンボルは第２の帯域幅に対応するいくつかのデータトーンを含む。複数のコード化されたビットは複数のコンスタレーションシンボルにマッピングされる。複数のコンスタレーションシンボルはＯＦＤＭシンボルの第１の部分に対応する第１の複数のデータサブキャリアに及びＯＦＤＭシンボルの第２の部分に対応する第２の複数のデータサブキャリアにマッピングされる。第１の複数のデータサブキャリア及び第２の複数のデータサブキャリアにおけるデータサブキャリアのサブセットは１つ又は複数の予め定められた値に設定される。ＯＦＤＭシンボルはその後少なくとも第１の複数のデータサブキャリア及び第２の複数のデータサブキャリアを含むよう生成される。
2015534771.tif 000002
【特許請求の範囲】
【請求項１】
通信チャネルを介して送信されるデータユニットの直交周波数分割多重化シンボル（ＯＦＤＭシンボル）を生成する方法であって、
複数の情報ビットをエンコードして、前記ＯＦＤＭシンボルに含まれるべき複数のコード化されたビットを生成する段階と、
前記複数のコード化されたビットを複数のコンスタレーションシンボルにマッピングする段階と、
前記複数のコンスタレーションシンボルを、前記ＯＦＤＭシンボルの第１の部分に対応する第１の複数のデータサブキャリアにマッピングする段階と、
前記第１の複数のデータサブキャリアにおけるデータサブキャリアのサブセットを１つ又は複数の予め定められた値に設定する段階と、
前記複数のコンスタレーションシンボルを、前記ＯＦＤＭシンボルの第２の部分に対応する第２の複数のデータサブキャリアにマッピングする段階と、
前記第２の複数のデータサブキャリアにおけるデータサブキャリアのサブセットを１つ又は複数の予め定められた値に設定する段階と、
少なくとも前記第１の複数のデータサブキャリア及び前記第２の複数のデータサブキャリアを含むように前記ＯＦＤＭシンボルを生成する段階と
を備え、
前記複数の情報ビットが、第１の帯域幅に対応し、前記ＯＦＤＭシンボルが、第２の帯域幅に対応するいくつかのデータトーンを含み、前記第２の帯域幅が前記第１の帯域幅より大きい、
方法。
【請求項２】
前記ＯＦＤＭシンボルを生成する段階は、（ｉ）複数のガードトーン、（ｉｉ）複数の直流（ＤＣ）トーン及び（ｉｉｉ）複数のパイロットトーンのうちの１つ又は複数を前記ＯＦＤＭシンボルに含める段階をさらに備える、請求項１に記載の方法。
【請求項３】
前記第１の複数のデータサブキャリアにおけるデータサブキャリアの前記サブセットを１つ又は複数の予め定められた値に設定する段階は、前記第１の複数のデータサブキャリアにおけるデータサブキャリアの前記サブセットにおける少なくとも１つのデータサブキャリアをヌル値に設定する段階を備え、
前記第２の複数のデータサブキャリアにおけるデータサブキャリアの前記サブセットを１つ又は複数の予め定められた値に設定する段階は、前記第２の複数のデータサブキャリアにおけるデータサブキャリアの前記サブセットにおける少なくとも１つのデータサブキャリアを前記ヌル値に設定する段階を備える、
請求項１又は２に記載の方法。
【請求項４】
前記第１の複数のデータサブキャリアにおけるデータサブキャリアの前記サブセットを１つ又は複数の予め定められた値に設定する段階は、前記第１の複数のデータサブキャリアにおけるデータサブキャリアの前記サブセットにおける少なくとも１つのデータサブキャリアを非ゼロ値に設定する段階を備え、
前記第２の複数のデータサブキャリアにおけるデータサブキャリアの前記サブセットを１つ又は複数の予め定められた値に設定する段階は、前記第２の複数のデータサブキャリアにおけるデータサブキャリアの前記サブセットにおける少なくとも１つのデータサブキャリアを前記非ゼロ値に設定する段階を備える、
請求項１又は２に記載の方法。
【請求項５】
前記複数のコンスタレーションシンボルを、前記ＯＦＤＭシンボルの第３の部分に対応する第３の複数のデータサブキャリアにマッピングする段階と、
前記第３の複数のデータサブキャリアにおけるデータサブキャリアのサブセットを１つ又は複数の予め定められた値に設定する段階と
をさらに備え、
前記ＯＦＤＭシンボルを生成する段階は、前記第３の複数のデータサブキャリアを前記ＯＦＤＭシンボルに含める段階をさらに備える、
請求項１から４のいずれか一項に記載の方法。
【請求項６】
物理層（ＰＨＹ）データユニットのプリアンブルを生成する段階
をさらに備え、
前記プリアンブルは、前記ＯＦＤＭシンボルを含む、
請求項１から５のいずれか一項に記載の方法。
【請求項７】
物理層（ＰＨＹ）データユニットのデータ部分を生成する段階
をさらに備え、
前記データ部分は、前記ＯＦＤＭシンボルを含む、
請求項１から５のいずれか一項に記載の方法。
【請求項８】
（ｉ）１つ又は複数の追加ビットを前記複数の情報ビットに挿入し（ｉｉ）前記複数の情報ビットをエンコードする前に、前記複数の情報ビット及び前記追加ビットを複製して、複数の複製されたビットを生成する段階
をさらに備え、
前記複数の情報ビットをエンコードする段階は、前記複数の複製されたビットをエンコードする段階を備える、
請求項１から７のいずれか一項に記載の方法。
【請求項９】
前記第１の帯域幅は帯域幅Ｂに対応し、前記第２の帯域幅は帯域幅ｍＢに対応し、
ｍは整数である、
請求項１から８のいずれか一項に記載の方法。
【請求項１０】
複数の情報ビットをエンコードして、ＯＦＤＭシンボルに含まれるべき複数のコード化されたビットを生成し、
前記複数のコード化されたビットを複数のコンスタレーションシンボルにマッピングし、
前記複数のコンスタレーションシンボルを、前記ＯＦＤＭシンボルの第１の部分に対応する第１の複数のデータサブキャリアにマッピングし、
前記第１の複数のデータサブキャリアにおけるデータサブキャリアのサブセットを１つ又は複数の予め定められた値に設定し、
前記複数のコンスタレーションシンボルを、前記ＯＦＤＭシンボルの第２の部分に対応する第２の複数のデータサブキャリアにマッピングし、
前記第２の複数のデータサブキャリアにおけるデータサブキャリアのサブセットを１つ又は複数の予め定められた値に設定し、
前記第１の部分に対応する前記複数のデータサブキャリア及び前記第２の部分に対応する前記複数のデータサブキャリアを少なくとも含むように前記ＯＦＤＭシンボルを生成する
よう構成されたネットワークインタフェース
を備え、
前記複数の情報ビットが、第１の帯域幅に対応し、前記ＯＦＤＭシンボルが、第２の帯域幅に対応するいくつかのデータトーンを含み、前記第２の帯域幅が前記第１の帯域幅より大きい、
装置。
【請求項１１】
前記ネットワークインタフェースは、（ｉ）複数のガードトーン、（ｉｉ）複数の直流（ＤＣ）トーン及び（ｉｉｉ）複数のパイロットトーンのうちの１つ又は複数を前記ＯＦＤＭシンボルに含めるようさらに構成される、
請求項１０に記載の装置。
【請求項１２】
前記ネットワークインタフェースは、前記第１の複数のデータサブキャリアにおけるデータサブキャリアの前記サブセットにおける少なくとも１つのデータサブキャリアをヌル値に設定し、前記第２の複数のデータサブキャリアにおけるデータサブキャリアの前記サブセットにおける少なくとも１つのデータサブキャリアを前記ヌル値に設定するようさらに構成される、
請求項１０又は１１に記載の装置。
【請求項１３】
前記ネットワークインタフェースは、前記第１の複数のデータサブキャリアにおけるデータサブキャリアの前記サブセットにおける少なくとも１つのデータサブキャリアを非ゼロ値に設定し、前記第２の複数のデータサブキャリアにおけるデータサブキャリアの前記サブセットにおける少なくとも１つのデータサブキャリアを前記非ゼロ値に設定する
ようさらに構成される、請求項１０又は１１に記載の装置。
【請求項１４】
前記ネットワークインタフェースは、
前記複数のコンスタレーションシンボルを、前記ＯＦＤＭシンボルの第３の部分に対応する第３の複数のデータサブキャリアにマッピングし、
前記第３の複数のデータサブキャリアにおけるデータサブキャリアのサブセットを１つ又は複数の予め定められた値にマッピングし、
前記第３の複数のデータサブキャリアをさらに含むように前記ＯＦＤＭシンボルを生成する
ようさらに構成される、請求項１０から１３のいずれか一項に記載の装置。
【請求項１５】
前記ネットワークインタフェースは、
物理層（ＰＨＹ）データユニットのプリアンブルを生成する
ようさらに構成され、
前記プリアンブルは、前記ＯＦＤＭシンボルを含む、
請求項１０から１４のいずれか一項に記載の装置。
【請求項１６】
前記ネットワークインタフェースは、
物理層（ＰＨＹ）データユニットのデータ部分を生成する
ようさらに構成され、
前記データ部分は、前記ＯＦＤＭシンボルを含む、
請求項１０から１４のいずれか一項に記載の装置。
【請求項１７】
前記ネットワークインタフェースは、
１つ又は複数の追加ビットを前記複数の情報ビットに挿入し、
前記複数の情報ビットをエンコードする前に、前記複数の情報ビット及び前記追加ビットを複製して、複数の複製されたビットを生成する
ようさらに構成され、
前記複数の情報ビットをエンコードすることは、前記複数の複製されたビットをエンコードすることを備える、
請求項１０から１６のいずれか一項に記載の装置。
【請求項１８】
前記第１の帯域幅は帯域幅Ｂに対応し、前記第２の帯域幅は帯域幅ｍＢに対応し、
ｍは整数である、
請求項１０から１７のいずれか一項に記載の装置。
【発明の詳細な説明】
【技術分野】
【０００１】
本開示は、概して複数の通信ネットワークに関し、より具体的には、無線ネットワークにおいて複数のデバイス間でデバイスの複数の機能を通信することに関する。
［関連出願への相互参照］
【０００２】
本出願は、発明の名称が「ＶＨＴＳＩＧＢ  Ｍｏｄｕｌａｔｉｏｎ」であり２０１０年７月１日に出願された米国仮出願第６１／３６０，８２８の利益を主張する、発明の名称が「Ｍｏｄｕｌａｔｉｏｎ  ｏｆ  Ｓｉｇｎａｌ  Ｆｉｅｌｄ  ｉｎ  ａ  ＷＬＡＮ  Ｆｒａｍｅ  Ｈｅａｄｅｒ」であり２０１１年６月３０日に出願された米国特許出願第１３／１７４，１８６号の一部継続であり、これらの開示の全体がここに参照により本明細書に組み込まれる。本出願はまた、発明の名称が「ＶＨＴＳＩＧＢ  Ｍｏｄｕｌａｔｉｏｎ」であり２０１２年９月２０日に出願された米国仮出願第６１／７０３，５９３号の利益を主張し、その開示の全体がここに参照により本明細書に組み込まれる。
【背景技術】
【０００３】
本明細書中に提供される背景技術の説明は、概して、開示の背景を提示することを目的とする。現在挙げられている複数の発明者の仕事は、この背景の章において説明される範囲及び出願時には従来技術として認められていない場合がある説明の複数の側面の範囲において、本開示に対して明示的に又は暗黙的にも従来技術であるとは認めていない。
【０００４】
米電気電子技術者協会（ＩＥＥＥ）８０２．１１ａ、８０２．１１ｂ、８０２．１１ｇ及び８０２．１１ｎ規格などの無線ローカルエリアネットワーク（ＷＬＡＮ）の規格の発展は、シングルユーザの最大データスループットを向上させた。例えば、ＩＥＥＥ８０２．１１ｂ規格は、１１メガビット毎秒（Ｍｂｐｓ）のシングルユーザ最大スループットを指定し、ＩＥＥＥ８０２．１１ａ及び８０２．１１ｇ規格は、５４Ｍｂｐｓのシングルユーザ最大スループットを指定し、ＩＥＥＥ８０２．１１ｎ規格は、６００Ｍｂｐｓのシングルユーザ最大スループットを指定する。新しい規格、ＩＥＥＥ８０２．１１ａｃについて作業が開始され、それは更により大きいスループットを提供する見込みである。
【発明の概要】
【０００５】
第１の実施形態によると、通信チャネルを介して送信されるデータユニットの直交周波数分割多重化（ＯＦＤＭ）シンボルを生成する方法は、複数の情報ビットをエンコードして、ＯＦＤＭシンボルに含まれるべき複数のコード化されたビットを生成する段階を含む。複数の情報ビットが、第１の帯域幅に対応し、ＯＦＤＭシンボルが、第２の帯域幅に対応するいくつかのデータトーンを含み、第２の帯域幅が第１の帯域幅より大きい。方法はまた、複数のコード化されたビットを複数のコンスタレーションシンボルにマッピングする段階と、複数のコンスタレーションシンボルを、ＯＦＤＭシンボルの第１の部分に対応する第１の複数のデータサブキャリアにマッピングする段階とを含む。方法はさらに、第１の複数のデータサブキャリアにおけるデータサブキャリアのサブセットを１つ又は複数の予め定められた値に設定する段階を含む。さらに、方法は更に、複数のコンスタレーションシンボルを、ＯＦＤＭシンボルの第２の部分に対応する第２の複数のデータサブキャリアにマッピングする段階と、第２の複数のデータサブキャリアにおけるデータサブキャリアのサブセットを１つ又は複数の予め定められた値に設定する段階とを含む。方法は更に、第１の複数のデータサブキャリア及び第２の複数のデータサブキャリアを少なくとも含むようにＯＦＤＭシンボルを生成する段階を含む。
【０００６】
別の実施形態において、装置は、複数の情報ビットをエンコードして、ＯＦＤＭシンボルに含まれるべき複数のコード化されたビットを生成するよう構成されたネットワークインタフェースを備える。複数の情報ビットが、第１の帯域幅に対応し、ＯＦＤＭシンボルが、第２の帯域幅に対応するいくつかのデータトーンを含み、第２の帯域幅が第１の帯域幅より大きい。ネットワークインタフェースはまた、複数のコード化されたビットを複数のコンスタレーションシンボルにマッピングし、複数のコンスタレーションシンボルを、ＯＦＤＭシンボルの第１の部分に対応する第１の複数のデータサブキャリアにマッピングするよう構成される。ネットワークインタフェースはまた、第１の複数のデータサブキャリアにおけるデータサブキャリアのサブセットを１つ又は複数の予め定められた値に設定するよう構成される。さらに、ネットワークインタフェースは更に、複数のコンスタレーションシンボルを、ＯＦＤＭシンボルの第２の部分に対応する第２の複数のデータサブキャリアにマッピングし、第２の複数のデータサブキャリアにおけるデータサブキャリアのサブセットを１つ又は複数の予め定められた値に設定するよう構成される。ネットワークインタフェースは更に、第１の部分に対応する複数のデータサブキャリア及び第２の部分に対応する複数のデータサブキャリアを少なくとも含むようにＯＦＤＭシンボルを生成するよう構成される。
【図面の簡単な説明】
【０００７】
【図１】本明細書に説明されている信号フィールド変調及びマッピングの様々な技術を利用する無線ローカルエリアネットワーク（ＷＬＡＮ）の例示の実施形態のブロック図である。
【０００８】
【図２】実施形態に係る例示のデータユニットフォーマットの図である。
【０００９】
【図３】実施形態に係る例示のＰＨＹ処理ユニットのブロック図である。
【００１０】
【図４】実施形態に係る、図３のＰＨＹ処理ユニットが生成するよう構成される、４０ＭＨｚ通信チャネルについての例示のＯＦＤＭシンボルの図である。
【００１１】
【図５】別の実施形態に係る、図３のＰＨＹ処理ユニットが生成するよう構成される、４０ＭＨｚ通信チャネルについての別の例示のＯＦＤＭシンボルの図である。
【００１２】
【図６】実施形態に係る、図３のＰＨＹ処理ユニットが生成するよう構成される、８０ＭＨｚ通信チャネルについての例示のＯＦＤＭシンボルの図である。
【００１３】
【図７】別の実施形態に係る、図３のＰＨＹ処理ユニットが生成するよう構成される、８０ＭＨｚ通信チャネルについての別の例示のＯＦＤＭシンボルの図である。
【００１４】
【図８】実施形態に係る、ＶＨＴ−ＳＩＧＢ又は別の適切なフィールドなどの信号フィールドを持つＰＨＹデータユニットを生成及び送信するための例示の方法のフロー図である。
【００１５】
【図９】別の実施形態に係る、ＶＨＴ−ＳＩＧＢ又は別の適切なフィールドなどの信号フィールドを持つＰＨＹデータユニットを生成及び送信するための別の例示の方法のフロー図である。
【００１６】
【図１０】実施形態に係る、ＶＨＴ−ＳＩＧＢ又は別の適切なフィールドなどの信号フィールドを持つマルチユーザＰＨＹデータユニットを生成及び送信するための例示の方法のフロー図である。
【００１７】
【図１１】実施形態に係る、ＯＦＤＭシンボルを生成するための例示の方法のフロー図である。
【発明を実施するための形態】
【００１８】
下記の複数の実施形態において、無線ローカルエリアネットワーク（ＷＬＡＮ）のアクセスポイント（ＡＰ）などの無線ネットワークデバイスは、１つ又は複数のクライアント局に複数のデータストリームを送信する。実施形態において、ＡＰは、第１の通信プロトコル（例えばＩＥＥＥ８０２．１１ａｃ規格）に従って複数のクライアント局とともに動作するよう構成される。実施形態において、更に、ＡＰに近接する異なるクライアント局は、第２の通信プロトコル（例えば、ＩＥＥＥ８０２．１１ｎ規格、ＩＥＥＥ８０２．１１ａ規格、ＩＥＥＥ８０２．１１ｇ規格等）に従って動作するよう構成される。第１の通信プロトコル及び第２の通信プロトコルは、１ＧＨｚを超える周波数帯における動作を定義し、概して、比較的に低データレートの比較的に短距離の無線通信を要求する複数の用途のために使用される。第１の通信プロトコルは、本明細書においてｖｅｒｙ  ｈｉｇｈ  ｔｈｒｏｕｇｈｐｕｔ（ＶＨＴ）プロトコルと呼ばれ、第２の通信プロトコルは、本明細書においてレガシープロトコルと呼ばれる。いくつかの実施形態において、ＡＰは更に又は代替的に、第３の通信プロトコルに従って複数のクライアント局とともに動作するよう構成される。第３の通信プロトコルは、１ＧＨｚより下の周波数帯における動作を定義し、通常、比較的に低データレートの比較的に長距離の無線通信を要求する複数の用途のために使用される。第１の通信プロトコル及び第２の通信プロトコルは、まとめて「短距離」通信プロトコルと呼ばれ、第３の通信プロトコルは、本明細書において「長距離」通信プロトコルと呼ばれる。
【００１９】
実施形態において、複数の通信プロトコル（例えば、複数の短距離プロトコル、複数の長距離プロトコル）のそれぞれ１つは、複数の送信チャネル帯域幅を定義する。いくつかの実施形態において、ＡＰによって送信又は受信されるデータユニットは、レガシープロトコルで定義される帯域幅（例えば、８０２．１１ａプロトコルで定義される２０ＭＨｚ帯域幅）に対応するレガシー部分、及び、ＶＨＴプロトコルで定義される同一又は異なるチャネル帯域幅（例えば、ＶＨＴプロトコルで定義される８０ＭＨｚ帯域幅）に対応するＶＨＴ部分を備えるプリアンブルを含む。実施形態によれば、データユニットのプリアンブルは、データユニットを正しく特定及びデコードするために受信機において必要とされる情報を伝える複数の信号フィールドを含む。いくつかの実施形態において、例えば、プリアンブルには２つの信号フィールドが含まれる。第１の信号フィールドは、プリアンブルのレガシー部分に含まれてデータユニットのレガシー部分と同様な態様で変調される。第２の信号フィールドは、プリアンブルのＶＨＴ部分に含まれて、データユニットのＶＨＴデータ部分と同様な態様で変調される。そのような一実施形態において、第２の信号フィールドは、データユニットのＶＨＴデータ部分と同様な態様で変調されるが、ＶＨＴデータ部分より低い符号レート及び小さいコンスタレーションサイズを使用する。さらに、いくつかの実施形態において、データユニットが占有する特定のチャネル帯域幅にかかわらず、第２の信号フィールドに対するビット割り当ては同一である。例えば、実施形態において、ビット割り当ては、ＶＨＴプロトコルによって定義される最小限の帯域幅（例えば、２０ＭＨｚ帯域幅、４０ＭＨｚ等）に対して指定され、より高いＶＨＴ帯域幅における第２の信号フィールドを送信するためにビット挿入及び／又は複製が利用される。さらに、実施形態において、データユニットのＶＨＴデータ部分は、シングルユーザ（ＳＵ）又はマルチユーザ（ＭＵ）に向けられた複数の空間データストリームを含むのに対し、第２の信号フィールドは、単一のデータストリームに限定される。これらの実施形態において、第２の信号フィールドの単一のストリームは、いくつかの態様で、データユニットのデータ部分に対応する複数の空間ストリーム及び／又は複数のユーザにマッピングされる。
【００２０】
図１は、本明細書に説明されている信号フィールド変調及びマッピングの様々な技術を利用する無線ローカルエリアネットワーク（ＷＬＡＮ）１０の例示の実施形態のブロック図である。ＡＰ１４は、ネットワークインタフェース１６に連結されたホストプロセッサ１５を含む。ネットワークインタフェース１６は、媒体アクセス制御（ＭＡＣ）処理ユニット１８及び物理層（ＰＨＹ）処理ユニット２０を含む。ＰＨＹ処理ユニット２０は複数のトランシーバ２１を含み、複数のトランシーバは複数のアンテナ２４に連結されている。３つのトランシーバ２１及び３つのアンテナ２４が図１に示されているが、別の複数の実施形態においては、ＡＰ１４は異なる数（例えば、１、２、４、５等）のトランシーバ２１及びアンテナ２４を含むことができる。一実施形態において、ＭＡＣ処理ユニット１８及びＰＨＹ処理ユニット２０は、第１の通信プロトコル（例えば、現在標準化される過程にあるＩＥＥＥ８０２．１１ａｃ規格）に従って動作するよう構成される。第１の通信プロトコルはまた、本明細書においてｖｅｒｙ  ｈｉｇｈ  ｔｈｒｏｕｇｈｐｕｔ（ＶＨＴ）プロトコルと呼ばれる。別の実施形態において、ＭＡＣ処理ユニット１８及びＰＨＹ処理ユニット２０はまた、少なくとも第２の通信プロトコル（例えば、ＩＥＥＥ８０２．１１ｎ規格、ＩＥＥＥ８０２．１１ａ規格等）に従って動作するよう構成される。さらに別の実施形態において、ＭＡＣ処理ユニット１８及びＰＨＹ処理ユニット２０は、更に又は代替的に、長距離通信プロトコル（例えば、ＩＥＥＥ８０２．１１ａｈ規格、ＩＥＥＥ８０２．１１ａｆ規格等）に従って動作するよう構成される。
【００２１】
ＷＬＡＮ１０は、複数のクライアント局２５を含む。４つのクライアント局２５が図１に示されているが、様々なシナリオ及び実施形態において、ＷＬＡＮ１０は、異なる数（例えば、１、２、３、５、６等）のクライアント局２５を含むことができる。少なくとも１つのクライアント局２５（例えば、クライアント局２５−１）は、少なくとも第１の通信プロトコルに従って動作するよう構成される。
【００２２】
クライアント局２５−１は、ネットワークインタフェース２７に連結されたホストプロセッサ２６を含む。ネットワークインタフェース２７は、ＭＡＣ処理ユニット２８及びＰＨＹ処理ユニット２９を含む。ＰＨＹ処理ユニット２９は、複数のトランシーバ３０を含み、複数のトランシーバ３０は、複数のアンテナ３４に連結されている。３つのトランシーバ３０及び３つのアンテナ３４が図１に示されているが、別の複数の実施形態において、クライアント局２５−１は、異なる数（例えば、１、２、４、５等）のトランシーバ３０及びアンテナ３４を含むことができる。
【００２３】
実施形態において、クライアント局２５−２、２５−３及び２５−４の１つ又は全ては、クライアント局２５−１と同一又は類似の構造を持つ。これらの実施形態において、クライアント局２５−１と同一又は類似の構造の複数のクライアント局２５は、同一又は異なる数のトランシーバ及びアンテナを持つ。例えば、実施形態において、クライアント局２５−２は、２つのトランシーバ及び２つのアンテナだけを持っている。
【００２４】
様々な実施形態において、ＡＰ１４のＰＨＹ処理ユニット２０は、第１の通信プロトコルに準拠する複数のデータユニットを生成するよう構成される。１つ又は複数のトランシーバ２１は、生成された複数のデータユニットを、１つ又は複数のアンテナ２４を介して送信するよう構成される。同様に、１つ又は複数のトランシーバ２４は、１つ又は複数のアンテナ２４を介して複数のデータユニットを受信するよう構成される。実施形態において、ＡＰ１４のＰＨＹ処理ユニット２０は、受信された第１の通信プロトコルに準拠する複数のデータユニットを処理するよう構成される。
【００２５】
様々な実施形態において、クライアントデバイス２５−１のＰＨＹ処理ユニット２９は、第１の通信プロトコルに準拠する複数のデータユニットを生成するよう構成される。１つ又は複数のトランシーバ３０は、生成された複数のデータユニットを１つ又は複数のアンテナ３４を介して送信するよう構成される。同様に、１つ又は複数のトランシーバ３０は、１つ又は複数のアンテナ３４を介して複数のデータユニットを受信するよう構成される。実施形態において、クライアントデバイス２５−１のＰＨＹ処理ユニット２９は、受信された第１の通信プロトコルに準拠する複数のデータユニットを処理するよう構成される。
【００２６】
図２は、実施形態に係る、ＡＰ１４がクライアント局２５−１に送信するよう構成された、データユニット２５０の図である。実施形態において、クライアント局２５−１はまた、データユニット２５０をＡＰ１４に送信するよう構成される。データユニット２５０は、ＶＨＴプロトコルに準拠し、８０ＭＨｚ帯を占有する。複数の他の実施形態において、データユニット２５０に類似の複数のデータユニットは、２０ＭＨｚ、４０ＭＨｚ、１２０ＭＨｚ、１６０ＭＨｚ又は任意の適切な帯域幅などの異なる複数の帯域幅を占有する。更に、帯域は、周波数において連続する必要はなく、周波数内で分離された２つ又はより多いより小さな帯域を含んでよい。例えば、実施形態において、複数の状況及び複数のデバイスが１６０ＭＨｚチャネルをサポートする場合などのいくつかのシナリオでは、データユニット２５０は、周波数においていくつかの適切な最小帯域幅によって分離された２つの連続しない８０ＭＨｚ帯からなる１６０ＭＨｚ帯を占有する。データユニット２５０は、４つのｌｅｇａｃｙ  ｓｈｏｒｔ  ｔｒａｉｎｉｎｇ  ｆｉｅｌｄ（Ｌ−ＳＴＦ）２５２、４つのｌｅｇａｃｙ  ｌｏｎｇ  ｔｒａｉｎｉｎｇ  ｆｉｅｌｄ（Ｌ−ＬＴＦ）２５４、４つのｌｅｇａｃｙ  ｓｉｇｎａｌ  ｆｉｅｌｄ（Ｌ−ＳＩＧ）２５６、４つの第１のｖｅｒｙ  ｈｉｇｈ  ｔｈｒｏｕｇｈｐｕｔ  ｓｉｇｎａｌ  ｆｉｅｌｄ（ＶＨＴ−ＳＩＧＡ）２５８、ｖｅｒｙ  ｈｉｇｈ  ｔｈｒｏｕｇｈｐｕｔ  ｓｈｏｒｔ  ｔｒａｉｎｉｎｇ  ｆｉｅｌｄ（ＶＨＴ−ＳＴＦ）２６２、Ｎ個のｖｅｒｙ  ｈｉｇｈ  ｔｈｒｏｕｇｈｐｕｔ  ｌｏｎｇ  ｔｒａｉｎｉｎｇ  ｆｉｅｌｄ（ＶＨＴ−ＬＴＦ）２６４、及び、第２のｖｅｒｙ  ｈｉｇｈ  ｔｈｒｏｕｇｈｐｕｔ  ｓｉｇｎａｌ  ｆｉｅｌｄ（ＶＨＴ−ＳＩＧＢ）２６８を持つプリアンブルを含む。ここで、Ｎは整数である。データユニット２５０はまた、データ部分２７２を含む。複数のＬ−ＳＴＦ２５２、複数のＬ−ＬＴＦ２５４及び複数のＬ−ＳＩＧ２５６は、レガシー部を形成する。ＶＨＴ−ＳＴＦ２６２、複数のＶＨＴ−ＳＩＧＡ２５８、複数のＶＨＴ−ＬＴＦ２６４、ＶＨＴ−ＳＩＧＢ２６８及びデータ部分２６６は、ｖｅｒｙ  ｈｉｇｈ  ｔｈｒｏｕｇｈｐｕｔ（ＶＨＴ）部を形成する。
【００２７】
図２の実施形態において、複数のＬ−ＳＴＦ２５２のそれぞれ、複数のＬ−ＬＴＦ２５４のそれぞれ、複数のＬ−ＳＩＧ２５６のそれぞれ、及び複数のＶＨＴ−ＳＩＧＡ２５８のそれぞれは、２０ＭＨｚ帯を占有する。本開示において、８０ＭＨｚの連続する帯域幅を持つ、データユニット２５０を含むいくつかの例示のデータユニットが、複数のフレームフォーマットの複数の実施形態を表すことを目的として説明される。しかし、これらのフレームフォーマットの実施形態及び他の複数の実施形態は、（連続しない複数の帯域幅を含む）他の適切な複数の帯域幅に適用可能である。例えば、図２のプリアンブルが、Ｌ−ＳＴＦ２５２、Ｌ−ＬＴＦ２５４、Ｌ−ＳＩＧ２５６及びＶＨＴ−ＳＩＧＡ２５８のそれぞれの４つを含むが、直交周波数分割多重化（ＯＦＤＭ）データユニットが２０ＭＨｚ、４０ＭＨｚ、１２０ＭＨｚ、１６０ＭＨｚ等のような８０ＭＨｚ以外の累積帯域幅を占有する他の複数の実施形態においては、それらに応じて異なる適切な数のＬ−ＳＴＦ２５２、Ｌ−ＬＴＦ２５４、Ｌ−ＳＩＧ２５６、及びＶＨＴ−ＳＩＧＡ２５８が利用される（例えば、２０ＭＨｚを占有するＯＦＤＭデータユニットについてＬ−ＳＴＦ２５２、Ｌ−ＬＴＦ２５４、Ｌ−ＳＩＧ２５６及びＶＨＴ−ＳＩＧＡ２５８のそれぞれが１つ、４０ＭＨｚ帯域幅のＯＦＤＭデータユニットについて複数のフィールドのそれぞれが２つ、１２０ＭＨｚ帯域幅のＯＦＤＭデータユニットについて複数のフィールドのそれぞれが６つ、及び、１６０ＭＨｚ帯域幅のＯＦＤＭデータユニットについて複数のフィールドのそれぞれが８つ）。また、１６０ＭＨｚ帯域幅のＯＦＤＭデータユニットにおいて、例えば、いくつかの実施形態及び状況において帯域は周波数において連続しない。したがって、例えば、Ｌ−ＳＴＦ２５２、Ｌ−ＬＴＦ２５４、Ｌ−ＳＩＧ２５６及びＶＨＴ−ＳＩＧＡ２５８は、周波数において互いに分離された２つ又はより多い帯域を占有する。そして、いくつかの実施形態において、例えば、連続する複数の帯域は、周波数において、少なくとも１ＭＨｚ、少なくとも５ＭＨｚ、少なくとも１０ＭＨｚ、少なくとも２０ＭＨｚによって分離される。図２の実施形態において、ＶＨＴ−ＳＴＦ２６２、ＶＨＴ−ＬＴＦ２６４、ＶＨＴ−ＳＩＧＢ２６８、及びデータ部分２６６のそれぞれは、８０ＭＨｚ帯を占有する。実施形態によると、第１の通信プロトコルに準拠するデータユニットが、２０ＭＨｚ、４０ＭＨｚ、１２０ＭＨｚ又は１６０ＭＨｚなどのＯＦＤＭの累積帯域幅を占有するＯＦＤＭデータユニットである場合、ＶＨＴ−ＳＴＦ、複数のＶＨＴ−ＬＴＦ、ＶＨＴ−ＳＩＧＢ、ＶＨＴデータ部は、データユニットの対応する帯域幅の全体を占有する。
【００２８】
さらに、データユニット２５０を生成するデバイスが複数のアンテナを含み、ビームフォーミング又はビームステアリングを送信することができる図２の実施形態によれば、ＶＨＴ−ＳＩＧＡ２５８は、データユニット２５０のステアリングされていない（すなわち「全方向性」又は「偽全方向性」；本明細書で使用される「ステアリングされていない」及び「全方向性」の用語は「偽全方向性」の用語もまた包含することが意図される）部分内に含まれ、図１の複数のクライアント局２５のそれぞれに共通のＰＨＹ情報を含む。これに対し、ＶＨＴ−ＳＩＧＢ２６８は、「ステアリングされた」部分に含まれる。データユニット２５０がマルチユーザ送信である（例えば、データユニット２５０が対応する異なる複数の受信デバイスのための独立した複数のデータストリームを含む）実施形態において、ステアリングされた部分は、複数のクライアント局２５のそれぞれに異なるコンテンツを伝えるための異なる（又はユーザ別の）複数の空間チャネルを通じて図１の複数のアンテナ２４を介して同時に送信される、異なる複数のクライアント２５のための異なるデータを含む。したがって、これらの実施形態において、複数のＶＨＴ−ＳＩＧＡ２５８は、ＶＨＴ−ＳＩＧＢ２６８がユーザ固有情報を含むのに対し、全てのユーザに対して共通の情報を伝える。これに対し、データユニット２５０がシングルユーザ送信である実施形態において、ステアリングされた部分は、アンテナ２４を介してクライアント局２５に送信されビームステアリングされた、特定のクライアント２５のためのデータを含む。
【００２９】
実施形態によれば、複数のＶＨＴ−ＳＩＧＡ２５８のそれぞれは、レガシーの複数のＬ−ＳＩＧフィールド２５６に類似の方法で変調された２つのＯＦＤＭシンボルを備える。これに対し、下記のいくつかの実施形態及び／又は複数のシナリオによれば、ＶＨＴ−ＳＩＧＢフィールド２６８は、ＶＨＴデータ部２７２に類似の方法で変調された単一のＯＦＤＭシンボルを備える。
【００３０】
図３は、実施形態に係る、ＯＦＤＭシンボルを生成するよう構成された例示のＰＨＹ処理ユニット３００のブロック図である。例えば、実施形態及び／又はシナリオにおいて、ＰＨＹ処理ユニット３００は、データユニット２５０（図２）のＶＨＴ−ＳＩＧＢ２６８に対応するＯＦＤＭシンボルを生成する。別の実施形態及び／又はシナリオにおいて、ＰＨＹ処理ユニット３００は、データユニット２５０のデータ部分２７２に対応するＯＦＤＭシンボルを生成する。他の複数の実施形態及び／又は複数のシナリオにおいて、ＰＨＹ処理ユニット３００は、データユニット２５０の別の部分に対応するＯＦＤＭシンボル、又は、他の複数の実施形態及び／又は複数のシナリオにおいて、別の適切なデータユニットに含まれるべきＯＦＤＭシンボルを生成する。一実施形態において、図１を参照して、ＡＰ１４及びクライアント局２５−１はそれぞれ、ＰＨＹ処理ユニット３００などのＰＨＹ処理ユニットを含む。
【００３１】
実施形態によれば、ＰＨＹユニット３００は、概して入力データストリームをエンコードして対応するエンコード化ストリームを生成する前方誤り訂正（ＦＥＣ）エンコーダ３０２を含む。一実施形態において、ＦＥＣエンコーダは、符号レート１／２のバイナリ畳み込み符号（ＢＣＣ）を利用する。他の複数の実施形態において、ＦＥＣエンコーダは、他の適切な複数の符号化形式及び／又は他の適切な複数の符号レートを利用してよい。ＦＥＣエンコーダ３０２は、隣接する雑音の多い複数のビットの長いシーケンスが受信機でデコーダに入力されることを防止するために、エンコードされたストリームの複数のビットをインターリーブする（すなわち、複数のビットの順序を変更する）周波数インターリーバ３０４に連結されている。
【００３２】
コンスタレーションマッパ３０６は、インターリーブされた複数のビットのシーケンスを、ＯＦＤＭシンボルの異なる複数のサブキャリアに対応する複数のコンスタレーションポイントにマッピングする。より詳細には、コンスタレーションマッパ３０６は、毎ｌｏｇ２（Ｍ）をＭ個のコンスタレーションポイントのうちの１つに変換する。一実施形態において、コンスタレーションマッパ３０６は、二位相偏移変調（ＢＰＳＫ）の変調スキームに従って動作する。他の複数の実施形態において、他の適切な複数の変調スキームが利用される。コンスタレーションマッパ３０６は、様々な実施形態及び／又はシナリオにおいて、下記の様々な複製及び挿入技術を実装するトーン複製及び挿入ユニット３０８に連結される。
【００３３】
実施形態において、トーン複製及び挿入ユニット３０８の出力は、ストリームマッパユニット３１２に提供される。実施形態において、ストリームマッパ３１２は、複数のコンスタレーションポイントを、より多くの空間−時間ストリームに分散させる。パイロット生成ユニット３１０は、例えば受信機での周波数オフセット推定のために使用される複数のパイロットトーンを生成し、複数のパイロットトーンを、ストリームマッパ３１２の複数の空間−時間出力におけるシンボルＯＦＤＭトーンに挿入する。複数の巡回シフトダイバーシチ（ＣＳＤ）ユニット３１４は、意図しないビームフォーミングを防止するために、１つを除いて全ての空間−時間ストリームに複数の巡回シフトを挿入する。
【００３４】
空間マッピングユニット３１６は、複数の空間−時間ストリームを、１つ又は複数の利用可能な送信アンテナに対応する複数の送信チェーンにマッピングする。様々な実施形態において、空間マッピングは、１）各空間−時間ストリームからの複数のコンスタレーションポイントが複数の送信チェーンに直接マッピングされる（すなわち、一対一のマッピング）ダイレクトマッピング、２）全ての空間−時間ストリームからのコンスタレーションポイントの複数のベクトルが行列の乗算を介して拡張されて、複数の送信チェーンへの複数の入力が生成される空間拡張、及び、３）全ての空間−時間ストリームからの複数のコンスタレーションポイントの各ベクトルが、複数のステアリングベクトルの行列と乗算されて、複数の送信チェーンへの複数の入力が生成されるビームフォーミングのうちの１つ又は複数を含む。
【００３５】
一実施形態において、空間マッピングユニット３１６は、ステアリング行列Ｑを適用する（例えば、ＮＳＴＳ×１の信号ベクトルｓをＱで乗算する。すなわち、Ｑｓ）。ここで、Ｑは、（ＮＴＸ×ＮＳＴＳ）のサイズを持ち、ＮＴＸは送信チェーンの数であり、ＮＳＴＳは空間−時間ストリームの数である。ビームフォーミングが利用される場合、行列Ｑは、送信機と受信機との間の多入力多出力（ＭＩＭＯ）チャネルに基づいて生成される。一実施形態において、ＮＴＸは、最大値８を有する。別の実施形態において、ＮＴＸは、最大値１６を有する。他の実施形態では、ＮＴＸは、４、３２、６４等のような異なる最大値を有する。
【００３６】
空間マッピングユニット３１６の各出力は送信チェーンに対応しており、空間マッピングユニット３１６の各出力は、複数のコンスタレーションポイントのブロックを時間領域信号に変換する離散逆フーリエ変換（ＩＤＦＴ）ユニット３１８によって処理される。実施形態において、ＩＤＦＴユニット３１８は、高速逆フーリエ変換（ＩＦＦＴ）アルゴリズムを実装するよう構成される。各時間領域信号は、送信のために送信アンテナに提供される。
【００３７】
実施形態によると、ＯＦＤＭシンボルのサブキャリア（又はトーン）の数は、概して、使用されるチャネルの帯域幅（ＢＷ）に依存する。例えば、実施形態によると、２０ＭＨｚチャネルについてのＯＦＤＭシンボルは、サイズ６４のＩＤＦＴに対応し６４個のトーンを含む。これに対し、４０ＭＨｚチャネルのＯＦＤＭシンボルは、サイズ１２８のＩＤＦＴに対応し１２８個のトーンを含む。実施形態において、ＯＦＤＭシンボルにおける複数のトーンは、ランプアップ及びランプダウンをフィルタするための複数のガードトーン、無線周波数干渉を低減させるための複数のＤＣトーン、及び、周波数オフセット推定のための複数のパイロットトーンを含む。実施形態によると、残りの複数のトーンは、データ又は複数の情報ビット（「複数のデータトーン」）を送信するために使用されることができる。第１の通信プロトコルに準拠したデータユニットを生成するように構成された例示のＰＨＹ処理ユニットの概略的な送信機フロー、及び、本開示のいくつかの実施形態に対応する複数のデータユニットにおいて利用される送信チャネル及び複数のトーンマッピングの様々な例が、２０１０年７月２９日出願の発明の名称「Ｍｅｔｈｏｄｓ  ａｎｄ  Ａｐｐａｒａｔｕｓ  ｆｏｒ  ＷＬＡＮ  Ｔｒａｎｓｍｉｓｓｉｏｎ」の米国特許出願第１２／８４６，６８１号に説明されており、それは全体がここに参照により本明細書に組み込まれる。
【００３８】
実施形態において、データユニットにおけるＯＦＤＭシンボルについてのトーン及び／又はビット割り当ては、データユニットによって占有されるチャネル帯域幅にかかわらず同一である。例えば、複数のＯＦＤＭシンボルは、通信プロトコルによって定義される最小のチャネル帯域幅などの「基底」帯域幅について定義されるフォーマットに従って生成される。本明細書で説明されるトーン複製及び挿入技術は、より広い複数のチャネル帯域幅に対応する複数のＯＦＤＭシンボルを生成するために使用される。例えば、実施形態において、２０ＭＨｚチャネル帯域幅が基底帯域幅として使用される。この実施形態において、複数のＯＦＤＭシンボルは２０ＭＨｚチャネル帯域幅に対して定義されるトーン及び／又はビット割り当てに従って生成され、本明細書で説明されるトーン複製及び挿入の技術は、４０ＭＨｚチャネル、８０ＭＨｚチャネル等のような複数のより高い帯域幅チャネルに対応する複数のＯＦＤＭシンボルを生成するために利用される。複数の別の実施形態において、４０ＭＨｚの帯域幅が基底帯域幅として使用され、より高い帯域幅の複数のＯＦＤＭシンボルは、本明細書で説明されるトーン複製及び挿入技術を使用して生成される。他の複数の実施形態において、他の適切な複数の基底帯域幅が利用される。
【００３９】
概説すると、様々な実施形態及び／又はシナリオにおいて、サイズＮのＩＤＦＴに対応する任意の適切な帯域幅が、基底帯域幅として利用されることができ、本明細書で説明されるトーン複製及び挿入技術は、ＮポイントのＩＤＦＴに対して定義されたトーン及び／又はビット割り当てに基づいて、例えばｋＮポイントのＩＤＦＴなどのより大きいサイズのＩＤＦＴに対応するＯＦＤＭシンボルを生成するために使用されることができる。ここで、Ｎ及びｋは整数である。なお、トーン複製及び挿入技術が、概して、より低い帯域幅の信号フィールドに対して定義されたトーン及び／又はビット割り当てに基づいてより広い帯域幅の信号フィールドを生成するために実行されるとして下記されるものの、そのような複数の技術は、複数の信号フィールドに対応する複数のＯＦＤＭシンボルに限定されず、他の複数の実施形態において、ＯＦＤＭデータユニットの他のフィールド（例えば、複数のトレーニングフィールド、データフィールド）に対応する複数のＯＦＤＭシンボルに適用されることに注意すべきである。
【００４０】
例として、再び図２を参照して、実施形態において、生成される特定のデータユニットによって占有されるチャネル帯域幅にかかわらず、データユニット２５０のＶＨＴ−ＳＩＧＢフィールド２６８に対するビット割り当ては同一になる。また、いくつかの実施形態において、データユニット２５０のデータ部分に対して生成されるシンボルとしてＶＨＴ−ＳＩＧＢ２６８に対して生成されるＯＦＤＭシンボルにおいて、同一の数のガードトーン、ＤＣトーン及びパイロットトーンが使用される。このような一実施形態において、複数のガードトーン、複数のＤＣトーン及び複数のパイロットトーンは、データ部分２７２に対して生成されるＯＦＤＭシンボルとしてＶＨＴ−ＳＩＧＢフィールド２６８に対して生成されるＯＦＤＭシンボル内の同一の周波数トーンである。
【００４１】
実施形態において、ＶＨＴ−ＳＩＧＢフィールド２６８ビット割り当ては、対応する数のデータトーンを有する２０ＭＨｚＯＦＤＭシンボルに対応し、複数のより大きい帯域幅（例えば、４０ＭＨｚ、８０ＭＨｚ等）に対応する複数のデータユニットに対しても同一のビット割り当てが利用される。このような一実施形態において、例えば、複数の情報ビットには２０ビットが割り当てられ、複数のテイルビットには６ビットが割り当てられて、ＶＨＴ−ＳＩＧＢフィールドに２６ビットが割り当てられる。ＶＨＴ−ＳＩＧＢフィールド２６８が、符号レート１／２でＢＣＣエンコーダにてエンコードされる実施形態において、２０ＭＨｚチャネルで利用可能な５２データトーンに対応する５２データビットに、２６ビットがエンコードされる。別の複数の実施形態では、ＶＨＴ−ＳＩＧＢフィールド２６８について、その他の適切な複数のビット割り当て及びその他の適切な複数の符号化及び変調スキームが使用される。対応するより多数のデータトーンを有するより大きい帯域幅の複数のチャネルに対して同一の数のビットが割り当てられる様々な実施形態及び／又はシナリオにおいて、残りの利用可能な複数のデータトーンを埋めるために本明細書で説明されるトーン複製及び挿入技術が利用される。
【００４２】
図４は、実施形態に係る、４０ＭＨｚチャネルについてのデータユニットのＶＨＴ−ＳＩＧＢフィールド（図２のＶＨＴ−ＳＩＧＢフィールド２６８など）に対して生成されるＯＦＤＭシンボル４００の図である。ＯＦＤＭシンボル４００は、サイズ１２８のＩＤＦＴに対応し、１２８トーンを含む。実施形態において、１２８のトーンスロットには、−６４から＋６３までインデキシングされる。１２８トーンは、ガードトーン、直流（ＤＣ）トーン、データトーン及びパイロットトーンを含む。周波数の最も低い方から６個のトーン及び周波数の最も高い方から５個のトーンが、ガードトーンである。−１から＋１までインデキシングされた３つのトーンがＤＣトーンである。実施形態において、ＯＦＤＭシンボル４００はまた、６個のパイロットトーン及び１０８個のデータトーンを含む。図４に示されるように、１０８個のデータトーンは、２個の挿入トーンを有するＶＨＴ−ＳＩＧＢビットに対応する５２トーンを含み、結果としての５４トーンは、ＯＦＤＭシンボルの残りの複数のトーンを埋めるべく、もう一回複製される。ＯＦＤＭシンボル４００では、２個の挿入トーンは、低い方のチャネルサイドバンドにおける最低のデータ／パイロット周波数トーンスロット、及び、高い方のチャネルサイドバンドにおける２つの最低のデータ／パイロット周波数トーンスロットを占有する。
【００４３】
図５は、別の実施形態に係る、４０ＭＨｚチャネルのためのデータユニットのＶＨＴ−ＳＩＧＢフィールド（図２のＶＨＴ−ＳＩＧＢフィールド２６８など）のために生成される別の例示のＯＦＤＭシンボル５００の図である。ＯＦＤＭシンボル５００は、ＯＦＤＭシンボル５００における複数の挿入トーンが、低い方のチャネルサイドバンドにおける２つの最低のデータ／パイロット周波数トーンスロット及び高い方のチャネルサイドバンドにおける２つの最高のデータ／パイロット周波数トーンスロットを占有することを除いて、ＯＦＤＭシンボル４００と同様である。
【００４４】
別の複数の実施形態において、２つの挿入トーンは、ＯＦＤＭシンボル４００又はＯＦＤＭシンボル５００における任意の他の適切な複数のデータ／パイロット周波数トーンスロットを占有する。
【００４５】
図６は、実施形態に係る、８０ＭＨｚチャネルのためのデータユニットのＶＨＴ−ＳＩＧＢフィールド（図２のＶＨＴ−ＳＩＧＢフィールド２６８など）のために生成されるＯＦＤＭシンボル６００の図である。ＯＦＤＭシンボル６００は、サイズ２５６のＩＤＦＴに対応し、２５６トーンを含む。実施形態において、２５６のトーンスロットには、−１２８から＋１２７までインデキシングされる。２５６トーンは、複数のガードトーン、複数のＤＣトーン、複数のデータトーン及び複数のパイロットトーンを含む。周波数の最も低い方から６個のトーン及び周波数の最も高い方から５個のトーンが、ガードトーンである。−１から＋１までインデキシングされた３つのトーンがＤＣトーンである。ＯＦＤＭシンボル３５０はまた、８個のパイロットトーン及び２３４個のデータトーンを含む。２３４個のデータトーンは、複数のＶＨＴ−ＳＩＧＢ情報ビットに対応する５２個のトーン、複数のＶＨＴ−ＳＩＧＢ情報ビットの複製である５２トーン及び１３個の挿入トーンを含み、そして結果としての１１７トーンが一回複製される。ＯＦＤＭシンボル６００において、１３個の挿入トーンは、低い方のチャネルサイドバンドにおける最低周波数の複数のパイロット／データトーンスロット、及び、高い方のチャネルサイドバンドにおける最低周波数の複数のパイロット／データトーンスロットを占有する。
【００４６】
図７は、別の実施形態に係る、８０ＭＨｚチャネルのためのデータユニットのＶＨＴ−ＳＩＧＢフィールド（図２のＶＨＴ−ＳＩＧＢフィールド２６８など）のために生成される別のＯＦＤＭシンボル７００のブロック図である。ＯＦＤＭシンボル７００は、ＯＦＤＭシンボル７００における挿入トーンが、低い方のチャネルサイドバンドにおける１３個の最低周波数の複数のデータ／パイロットトーンスロット及び高い方のチャネルサイドバンドにおける最高周波数の複数のデータ／パイロットトーンスロットを占有することを除いて、ＯＦＤＭシンボル６００と同様である。
【００４７】
別の複数の実施形態において、１３個の挿入トーンは、ＯＦＤＭシンボル６００又はＯＦＤＭシンボル７００において他の適切な複数のデータ／パイロットトーンスロットを占有する。
【００４８】
実施形態又は状況において、シンボル４００中の複数の挿入トーン、シンボル５００中の複数の挿入トーン、シンボル６００中の複数の挿入トーン及び／又はシンボル７００中の複数の挿入トーンは、ＶＨＴ−ＳＩＧＢ情報ビット及び／又はＶＨＴ−ＳＩＧＡ情報ビットのうちのいくつかの値を伝える。同様に、いくつかの他の実施形態及び／又は状況では、シンボル４００中の複数の挿入トーン、シンボル５００中の複数の挿入トーン、シンボル６００中の複数の挿入トーン及び／又はシンボル７００中の複数の挿入トーンは、ＬＳＩＧ情報ビットのうちのいくつかの値を伝える。代替的に、他の複数の実施形態及び／又は状況では、シンボル４００中の複数の挿入トーン、シンボル５００中の複数の挿入トーン、シンボル６００中の複数の挿入トーン及び／又はシンボル７００中の複数の挿入トーンは、複数のヌル（０）トーンである。これらの複数の実施形態は、複数の挿入トーンを送信するために追加の送信電力を使用することがないという利点を持つ（すなわち、全送信電力の全ては、ＶＨＴ−ＳＩＧＢ情報及びテイルビットのために使用される）。他の複数の実施形態及び／又はシナリオにおいて、シンボル４００中の複数の挿入トーン、シンボル５００中の複数の挿入トーン、シンボル６００中の複数の挿入トーン、シンボル７００中の複数の挿入トーンは、任意の他の適切な複数の値で変調される。
【００４９】
他の複数の実施形態及び／又はシナリオにおいて、シンボル４００中の複数の挿入トーン、シンボル５００中の複数の挿入トーン、シンボル６００中の複数の挿入トーン及び／又はシンボル７００中の複数の挿入トーンは、任意の他の適切な複数の値で変調される。
【００５０】
実施形態において、図１のクライアント局２５−１は、デコード及び復調処理の間に、受信されたデータユニットのＶＨＴ−ＳＩＧＢフィールド内の複数の挿入トーンを破棄する。代替的に、実施形態において、複数の挿入トーンが信号フィールド（例えば、ＶＨＴ−ＳＩＧＡ、ＶＨＴ−ＳＩＧＢ、Ｌ−ＳＩＧ）のいくつかの情報ビットに対応する複数の値のものである場合、受信機は、複数の挿入トーンを単純に破棄するのではなく、デコード及び復調処理の間に、それらによって提供された追加のダイバーシチを利用する。
【００５１】
いくつかの実施形態において、８０ＭＨｚ信号フィールドが、基底帯域幅としての４０ＭＨｚ帯域幅のためのトーン及び／又はビット割り当てを用いて生成される。例えば、実施形態において、８０ＭＨｚのＶＨＴ−ＳＩＧＢフィールドは、４０ＭＨｚのＶＨＴ−ＳＩＧＢフィールドに対して定義されたトーン及び／又はビット割り当てを用いて、８０ＭＨｚのＶＨＴ−ＳＩＧＢフィールドの残りのデータトーンを埋めるべく本明細書で説明されるトーン複製及び挿入技術を用いて生成される。同様に、実施形態において、１６０ＭＨｚの信号フィールドは、８０ＭＨｚの信号フィールドのためのトーン及び／又はビット割り当てを用いて、１６０ＭＨｚのフィールドの残りのデータトーンを埋めるべく本明細書で説明されるトーン複製及び挿入技術を用いて生成される。別の実施形態において、１６０ＭＨｚのＭＨｚフィールドは、４０ＭＨｚ帯域幅の信号フィールドのためのトーン及び／又はビット割り当てを用いて、本明細書で説明されるトーン挿入及び複製技術を用いて生成される。概説すると、様々な実施形態及び／又はシナリオにおいて、基底帯域幅Ｂは、ｍＢ帯域幅通信チャネルのためのＯＦＤＭシンボルを生成するために利用される。ここで、ｍは整数である。
【００５２】
実施形態において、２０ＭＨｚ又は別の適切な帯域幅に対応するフィールドが、４０ＭＨｚ基底帯域幅などのより大きい基底帯域幅を生成するために利用される。例えば、１つ又は複数のコード化されないビットは、エンコードされたビットストリームがエンコード後において４０ＭＨｚ帯域幅などのより大きい帯域幅に対応するように、２０ＭＨｚ帯域幅チャネル又は別の適切な帯域幅チャネルに対応するビットストリームに挿入される。その後、複数のより高い帯域幅チャネルのための複数のＯＦＤＭシンボルを生成するために、トーン複製及び挿入技術が基底帯域幅に適用される。例えば、図３を参照して、コード化されない複数の情報ビットの複製が利用され、エンコーダ３０２によってエンコードされた後に結果としてのビットストリーム（コード化された複数のビット）が４０ＭＨｚ基底帯域幅などのより広い基底帯域幅に対応するよう、必要であれば、ビットストリームをエンコーダ３０２に供給する前に、１つ又は複数の追加ビットが、コード化されない情報ビットストリームに（例えば、複数のビットの複製が生じる前に又は複数のビットの複製が生じた後に）追加される。この実施形態において、コード化された複数のビットは、その後、４０ＭＨｚ帯域幅などの基底帯域幅の複数のＯＦＤＭトーンに対応する複数のコンスタレーションポイントにコード化された複数のビットをマッピングするコンスタレーションマッピングユニット３０６に提供される。実施形態において、例えば、８０ＭＨｚのＯＦＤＭシンボル又は１６０ＭＨｚのＯＦＤＭシンボルなどのより広い帯域幅のＯＦＤＭシンボルを生成するために、トーン複製及び挿入ユニット３０８はその後、結果としての複数のＯＦＤＭトーンを複製及び／又は追加の複数のＯＦＤＭトーンを挿入する。
【００５３】
上記のように、いくつかの実施形態において、ＡＰ１４は、概して１ＧＨｚより下の周波数帯における動作を定義する長距離通信プロトコルに従って、１つ又は複数のクライアント局と通信するよう構成される。いくつかのそのような実施形態において、長距離通信プロトコルは、１つ又は複数の短距離通信プロトコルによって定義される物理レイヤデータユニットフォーマットと同一又は類似の１つ又は複数の物理レイヤデータユニットフォーマットを定義する。一実施形態において、より長距離にわたる通信をサポートするため、また、より低い（１ＧＨｚより下の）複数の周波数で利用可能な通常はより小さい帯域幅の複数のチャネルに対応するために、長距離通信プロトコルは、長距離通信プロトコルによって定義される物理レイヤデータユニットフォーマットと実質的に同一であるが、より低いクロックレートを使用して生成されるフォーマットを持つ複数のデータユニットを定義する。実施形態において、ＡＰは、短距離（及び高スループット）動作に適したクロックレートで動作し、１ＧＨｚより下での動作のために使用される新たなクロック信号を生成するためにダウンクロックが使用される。結果として、この実施形態において、長距離通信プロトコルに準拠するデータユニット（「長距離データユニット」）は、概して、短距離通信プロトコルに準拠するデータユニット（「短距離データユニット」）の物理層フォーマットを維持するが、より長い期間にわたって送信される。例として、ＩＥＥＥ８０２．１１ａｈ規格に準拠する複数のデータユニットは、ＩＥＥＥ８０２−１１ｎ規格又はＩＥＥＥ８０２−１１ａｃ規格において定義されるフォーマットに従って生成されるが、比率１０によりダウンクロックされたクロック信号を使用して生成される。この実施形態において、複数の短距離データユニットは、概して、上述した複数のチャネル帯域幅（例えば、２０ＭＨｚ、４０ＭＨｚ、８０ＭＨｚ、１６０ＭＨｚ）に対応し、複数の長距離データユニットは、ダウンクロック比１０でダウンクロックされた対応する複数の帯域幅（例えば、２ＭＨｚ、４ＭＨｚ、８ＭＨｚ、１６ＭＨｚ）を持つ。
【００５４】
他の複数の実施形態において、他の適切な複数のダウンクロック比が利用される。例えば、実施形態において、ＩＥＥＥ８０２．１１ａｆに従う複数のデータユニットは、ＩＥＥＥ８０２．１１ｎ又はＩＥＥＥ８０２．１１ａｃのデータユニットのダウンクロック比７．５でダウンクロックされた複数のバージョンである。更に、いくつかの実施形態において、長距離通信プロトコルは、例えば、拡張レンジ又は制御モード動作などのより高い信号対雑音比性能を要する複数の動作のために意図される、１ＭＨｚ帯域幅チャネルなどの１つ又は複数の追加の帯域幅チャネルを定義する。いくつかの実施形態において利用される、ダウンクロックによって生成される長距離データユニットの様々な例、及び、長距離データユニットの例示の複数のＰＨＹフォーマットが、２０１２年１月２６日に出願の米国特許出願１３／３５９，３３６に説明され、その全体が本明細書に参照によりここに組み込まれる。
【００５５】
いくつかのそのような実施形態において、ダウンクロックされた最低のチャネル帯域幅が、基底帯域幅として利用され、本明細書で説明されたトーン複製及び挿入技術が、より高いチャネル帯域幅に対応する複数のＯＦＤＭシンボルを生成するために使用される。例えば、１ＭＨｚ基底帯域幅又は２ＭＨｚ基底帯域幅に対応する複数のＯＦＤＭシンボルに対して定義されたトーン及び／又はビット割り当てが、複数のより高い帯域幅に対応する複数のＯＦＤＭシンボルを生成するために利用され、本明細書で説明されたトーン複製及び挿入技術が、複数のより高い帯域幅チャネル（例えば、２ＭＨｚ、４ＭＨｚ、８ＭＨｚ、１６ＭＨｚ）に対する複数のＯＦＤＭシンボルを生成するために利用される。例として、様々な実施形態において、図４及び５を参照して、描かれているＯＦＤＭシンボル４００及び５００は、２ＭＨｚ帯域幅チャネルに対して定義されたトーン割り当てを使用して生成された長距離通信プロトコルの４ＭＨｚ帯域幅に対応する。別の例として、様々な実施形態において、図６及び７を参照して、描かれているＯＦＤＭシンボル６００及び７００は、２ＭＨｚ帯域幅チャネルに対して定義されたトーン割り当てを使用して生成された長距離通信プロトコルの８ＭＨｚ帯域幅に対応する。別の実施形態において、４ＭＨｚ帯域幅などの別の適切な基底帯域幅に対するトーン及び／又はビット割り当てが利用され、本明細書で説明されたトーン複製及び挿入技術が、８ＭＨｚチャネル又は１６ＭＨｚチャネルなどのより高い帯域幅チャネルに対応する複数のＯＦＤＭシンボルを生成するために使用される。概説すると、様々な実施形態及び／又はシナリオにおいて、基底帯域幅Ｂは、ｍＢ帯域幅通信チャネルのためのＯＦＤＭシンボルを生成するために利用される。ここで、ｍは整数である。
【００５６】
再び図２を参照して、データ部分２７２が複数の空間ストリームを含む複数の実施形態では、ＶＨＴ−ＳＩＧＢフィールド２６８がそれに応じて複数のストリームにマッピングされる。このようないくつかの実施形態では、複数の空間ストリームに対応する複数のトレーニングシーケンスを含むＶＨＴ−ＳＴＦフィールド２６４は、行列Ｐを介して複数の空間ストリームへとマッピングされる。いくつかの実施形態及び／又はシナリオでは、同一の行列Ｐが、ＶＨＴ−ＳＩＧＢフィールド２６８の単一のデータストリームを、ＶＨＴ−データ部分２７２における複数の空間ストリームに対応する複数のデータストリームにマッピングするために使用される。より詳細には、実施形態において、複数のＶＨＴ−ＬＴＦトレーニングフィールド２６４は、対応する複数の空間ストリームに、
【数１】
2015534771.tif 000003
に従ってマッピングされる。ここで、Ｑ（ｋ）は、ＶＨＴ−ＬＴＦトレーニングフィールドのｋ番目のトーンの空間マッピングに対応し、Ｄ（ｋ）は、ｋ番目のトーンのＣＳＤ位相シフトに対応し、Ｐ＊１，...，Ｐ＊ＮＬＴＦは、マッピング行列Ｐの複数の列であり、Ｓ（ｋ）は、ＶＨＴ−ＬＴＦトレーニングシンボルのｋ番目のトーンである。
【００５７】
依然として図２を参照して、実施形態において、ＶＨＴ−ＳＩＧＢフィールド２６８は、式１の複数の列Ｐ＊１，...，Ｐ＊ＮＬＴＦのうちの１つを使用して、データユニット２５０の複数の空間ストリームにマッピングされる。例えば、実施形態において、Ｐ行列の第１の列が、ＶＨＴ−ＳＩＧＢフィールド２６８をマッピングするために使用される。
【数２】
2015534771.tif 000004
ここで、ＳＶＨＴＳＩＧＢ＿Ｕ１（ｋ）は、ＶＨＴ−ＳＩＧＢシンボルのｋ番目のトーンである。他の複数の実施形態及び／又はシナリオでは、Ｐ行列の異なる列が、ＶＨＴ−ＳＩＧＢフィールド２６８をマッピングするために使用される。
【００５８】
いくつかの実施形態において、データユニット２５０は、マルチユーザ（ＭＵ）データユニットである、すなわち、データユニット２５０は、１より多いユーザ（例えば、図１の複数のクライアント局２５のうちの１つより多いクライアント局）についてのユーザ固有情報を含む。例えば、実施形態において、データユニット２５０は、２人のユーザについてのユーザ固有情報を含む（すなわち、データユニット２５０は、「２ユーザ」データユニットである）。他の複数の実施形態及び／又はシナリオにおいて、データユニット２５０は、異なる数のユーザ（例えば、３ユーザ、４ユーザ、５ユーザ等）のデータを含む。いくつかの実施形態において、ＶＨＴ−ＬＴＦフィールド２６４の数は、データユニットの対象とする受信者（ユーザ）の全てについての空間ストリームの合計に直接関係している。そして、単一の「大きな（ｇｉａｎｔ）」マッピング行列Ｐが、全てのユーザ及び全ての空間ストリームについての複数のトレーニング情報トーンを一緒にマッピングするために使用される。例えば、実施形態において、データユニット２５０が２ユーザデータユニットである場合、ＶＨＴ−ＬＴＦフィールド２６８は、
【数３】
2015534771.tif 000005
に従ってマッピングされる。ここで、ＱＵ１（ｋ）は、ユーザ１のＶＨＴ−ＬＴＦトレーニングフィールドのｋ番目のトーンの空間マッピングに対応し、ＱＵ２（ｋ）は、ユーザ２のＶＨＴ−ＬＴＦトレーニングフィールドのｋ番目のトーンの空間マッピングに対応し、ＤＵ１（ｋ）は、ユーザ１に対するｋ番目のトーンの巡回シフトダイバーシチ（ＣＳＤ）位相シフトに対応し、ＤＵ２（ｋ）は、ユーザ２に対するｋ番目のトーンの巡回シフトダイバーシチ（ＣＳＤ）位相シフトに対応し、Ｐ（Ｕ１）＿＊１，...，Ｐ（Ｕ１）＿＊ＮＬＴＦは、ユーザ１に対するマッピング行列Ｐの複数の列であり、Ｐ（Ｕ２）＿＊１，...，Ｐ（Ｕ２）＿＊ＮＬＴＦは、ユーザ２に対するマッピング行列Ｐの複数の列であり、Ｓ（ｋ）は、ＶＨＴ−ＬＴＦトレーニングシンボルのｋ番目のトーンである。
【００５９】
図２を引き続き参照して、データユニット２５０が２ユーザデータユニットである実施形態において、ＶＨＴ−ＳＩＧＢフィールド２６８は、したがって、２人のユーザに向けてステアリングされる（各ユーザが他のユーザからの干渉を観測しないと仮定する）。この場合、ＶＨＴ−ＳＩＧＢフィールド２６８の単一のストリームは、式３の任意の列Ｐ（Ｕ１）＿＊１，...，Ｐ（Ｕ１）＿＊ＮＬＴＦ又はＰ（Ｕ２）＿＊１，...，Ｐ（Ｕ２）＿＊ＮＬＴＦを使用して、複数の空間ストリーム及び複数のユーザにマッピングされる。例えば、実施形態において、
【数４】
2015534771.tif 000006
に従ってＶＨＴ−ＳＩＧＢフィールド２６８をユーザ１にマッピングするために結合Ｐ行列の第１の列が使用される。ここで、ＳＶＨＴＳＩＧＢ＿Ｕ１（ｋ）は、ユーザ１に対するＶＨＴ−ＳＩＧＢシンボルのｋ番目のトーンである。他の複数の実施形態では、結合Ｐ行列の別の複数の列が、ＶＨＴ−ＳＩＧＢフィールド２６８を、複数のデータストリームを介して対象とするユーザにステアリングするために使用される。
【００６０】
図８は、実施形態に係る、ＶＨＴ−ＳＩＧＢ又は別の適切なフィールドなどの信号フィールドを持つＰＨＹデータユニットの生成及び送信のための例示の方法８００を示すフロー図である。方法８００は、ＰＨＹ処理ユニット２０（図１）、ＰＨＹ処理ユニット２９（図１）及び／又はＰＨＹ処理ユニット３００（図３）などのＰＨＹ処理ユニットによって少なくとも部分的に実装される。図８は、説明を簡略にするために、図３を参照して説明される。しかしながら、他の複数の実施形態では、別の適切なＰＨＹ処理ユニット及び／又はネットワークインタフェースが、方法８００を実装する。
【００６１】
ブロック８０４において、ＰＨＹデータユニットのプリアンブルの信号フィールドが生成される。実施形態において、ＶＨＴ−ＳＩＧＢフィールドが生成される。別の実施形態において、別の適切な信号フィールドが生成される。
【００６２】
ブロック８０８では、ブロック８０４において生成された信号フィールドが、ＯＦＤＭシンボルの第１の周波数部分に対応する第１の複数のデータサブキャリアにマッピングされる。例えば、ＢＰＳＫコンスタレーションマッピングブロック３０６は、信号フィールドを、ＯＦＤＭシンボルの第１の周波数部分に対応する第１の複数のデータサブキャリアにマッピングする。別の実施形態において、ネットワークインタフェースの別の適切な処理ブロックがブロック８０８を実装する。
【００６３】
ブロック８１２では、第１の複数のデータサブキャリアにおけるデータサブキャリアのセットが、予め定められた複数の値に設定される。例えば、実施形態において、サブキャリアのセットにおけるサブキャリアの少なくともいくつかは、値「＋１」又は他の適切な値に設定される。別の例では、実施形態において、サブキャリアのセットにおけるサブキャリアの少なくともいくつかは、値「−１」又は他の適切な値に設定される。別の例として、実施形態において、サブキャリアのセットにおけるサブキャリアの少なくともいくつかは、ヌル値に設定される。実施形態において、ブロック８１２は、図３のトーン複製及び挿入ブロック３０８によって実装される。別の実施形態において、ネットワークインタフェースの別の適切な処理ブロックがブロック８１２を実装する。
【００６４】
ブロック８１６において、ブロック８０４において生成された信号フィールドが、ＯＦＤＭシンボルの第２の周波数部分に対応する第２の複数のデータサブキャリアにマッピングされる。例えば、図３におけるトーン複製及び挿入ブロック３０８は、信号フィールドを、ＯＦＤＭシンボルの第２の周波数部分に対応する第２の複数のデータサブキャリアにマッピングする。別の実施形態において、ネットワークインタフェースの別の適切な処理ブロックがブロック８１６を実装する。
【００６５】
ブロック８２０では、第２の複数のデータサブキャリアにおけるデータサブキャリアのセットが、予め定められた複数の値に設定される。例えば、実施形態において、サブキャリアのセットにおけるサブキャリアの少なくともいくつかは、値「＋１」又は他のいくつかの適切な値に設定される。別の例では、実施形態において、サブキャリアのセットにおけるサブキャリアの少なくともいくつかは、値「−１」又は他のいくつかの適切な値に設定される。別の例として、実施形態において、サブキャリアのセットにおけるサブキャリアの少なくともいくつかは、ヌル値に設定される。実施形態において、ブロック８２０は、図３のトーン複製及び挿入ブロック３０８によって実装される。別の実施形態において、ネットワークインタフェースの別の適切な処理ブロックがブロック８２０を実装する。
【００６６】
ブロック８２４では、第１の周波数部分及び第２の周波数部分における複数のガードトーン、複数のＤＣトーン及び／又は複数のパイロットトーンが設定される。実施形態において、ＶＨＴパイロット生成ブロック３１０によって、ブロック８２４が少なくとも部分的に実装される。別の実施形態において、ネットワークインタフェースの別の適切な処理ブロックがブロック８２４を実装する。
【００６７】
ブロック８２８では、ＰＨＹデータユニットが送信される。例えば、実施形態において、方法８００を実装するＰＨＹ処理ユニットが、少なくとも部分的に、ＰＨＹデータユニットを送信させる。
【００６８】
図９は、実施形態に係る、ＶＨＴ−ＳＩＧＢ又は別の適切なフィールドなどの信号フィールドを有するＰＨＹデータユニットの生成及び送信のための別の例示の方法９００のフロー図である。方法９００は、ＰＨＹ処理ユニット２０（図１）、ＰＨＹ処理ユニット２９（図１）及び／又はＰＨＹ処理ユニット３００（図３）などのＰＨＹ処理ユニットによって少なくとも部分的に実装され、図９は、説明を簡略にするために、図３を参照して説明される。しかしながら、他の複数の実施形態では、別の適切なＰＨＹ処理ユニット及び／又はネットワークインタフェースが、方法９００を実装する。
【００６９】
ブロック９０４において、複数のトレーニングフィールドが生成される。例えば、実施形態において、複数のＶＨＴ−ＬＴＦフィールドが実施形態において生成される。ブロック９０８において、マッピング行列を使用して、複数のトレーニングフィールドが複数の信号ストリームにマッピングされる。実施形態において、マッピング行列は、上述した行列Ｐを備える。他の複数の実施形態において、他の適切な複数のマッピング行列が使用される。実施形態において、ブロック９０８は、マッピングブロック３１２によって実装される。しかしながら、他の複数の実施形態では、ＰＨＹ処理ユニット及び／又はネットワークインタフェースの別の適切なブロックが、ブロック９０８を実装する。
【００７０】
ブロック９１２において、ＰＨＹデータユニットのプリアンブルの信号フィールドが生成される。実施形態において、ＶＨＴ−ＳＩＧＢフィールドが生成される。別の実施形態において、別の適切な信号フィールドが生成される。ブロック９１６において、ブロック９０８で利用されたマッピング行列の列を使用して、信号フィールドが複数の信号ストリームにマッピングされる。実施形態において、上述した行列Ｐの列が利用される。他の複数の実施形態では、別の適切なマッピング行列の列が使用される。実施形態において、行列Ｐの第１の列が使用される。他の複数の実施形態では、行列Ｐの第１の列以外の列が利用される。
【００７１】
ブロック９２０において、複数の信号ストリームが複数の空間ストリームにマッピングされる。実施形態において、複数の信号ストリームは、上記で説明した行列Ｑを使用して、複数の空間ストリームにマッピングされる。他の複数の実施形態では、他の適切な複数の行列が利用される。実施形態において、ブロック９２０は、空間マッピングブロック３１６によって実装される。しかしながら、他の複数の実施形態では、ＰＨＹ処理ユニット及び／又はネットワークインタフェースの別の適切なブロックがブロック９２０を実装する。
【００７２】
ブロック９２４において、ＰＨＹデータユニットが送信される。例えば、実施形態において、方法９００を実装するＰＨＹ処理ユニットが、少なくとも部分的に、ＰＨＹデータユニットを送信させる。ブロック９２４は、複数の空間ストリームを介して、少なくともｉ）複数のトレーニングフィールド、及びｉｉ）信号フィールドを送信する（又は送信させる）ことを含む。
【００７３】
図１０は、実施形態に係る、ＶＨＴ−ＳＩＧＢ又は別の適切なフィールドなどの信号フィールドを有するマルチユーザＰＨＹデータユニットの生成及び送信を行う別の例示の方法９５０のフロー図である。方法９５０は、ＰＨＹ処理ユニット２０（図１）、ＰＨＹ処理ユニット２９（図１）及び／又はＰＨＹ処理ユニット３００（図３）などのＰＨＹ処理ユニットによって少なくとも部分的に実装され、図１０は、説明を簡略にするために、図３を参照して説明される。しかしながら、他の複数の実施形態では、別の適切なＰＨＹ処理ユニット及び／又はネットワークインタフェースが、方法９５０を実装する。
【００７４】
ブロック９５４において、マルチユーザＰＨＹデータユニットに対して、複数のトレーニングフィールドが生成される。例えば、実施形態において、複数のＶＨＴ−ＬＴＦフィールドが生成される。ブロック９５８において、マッピング行列を使用して、複数のトレーニングフィールドが複数の信号ストリームにマッピングされる。実施形態において、マッピング行列は、上述した大行列Ｐを備える。他の複数の実施形態において、他の適切なマッピング行列が利用される。実施形態において、ブロック９５８は、マッピングブロック３１２によって実装される。しかしながら、他の複数の実施形態では、ＰＨＹ処理ユニット及び／又はネットワークインタフェースの別の適切なブロックがブロック９５８を実装する。
【００７５】
ブロック９６２において、マルチユーザＰＨＹデータユニットのプリアンブルの第１の信号フィールドが生成され、第１の信号フィールドは、第１のクライアントデバイスに対応している。実施形態において、ＶＨＴ−ＳＩＧＢフィールドが生成される。別の実施形態において、別の適切な信号フィールドが生成される。ブロック９６６において、ブロック９５８で使用されたマッピング行列の列の一部を使用して、第１の信号フィールドが複数の信号ストリームにマッピングされる。ここで、当該一部は、第１のクライアントデバイスに対応する。実施形態において、上述した大行列Ｐの列の一部が使用される。ここで、当該一部は第１のクライアントデバイスに対応する。他の複数の実施形態では、別の適切なマッピング行列の列の一部が利用される。実施形態において、大行列Ｐの第１の列の一部が使用される。他の複数の実施形態では、大行列Ｐの第１の列以外の列の一部が使用される。
【００７６】
ブロック９７０において、マルチユーザＰＨＹデータユニットのプリアンブルの第２の信号フィールドが生成され、第２の信号フィールドは、第２のクライアントデバイスに対応している。実施形態において、ＶＨＴ−ＳＩＧＢフィールドが生成される。別の実施形態において、別の適切な信号フィールドが生成される。ブロック９７４において、ブロック９５８で利用されたマッピング行列の列の一部を使用して、第２の信号フィールドが複数の信号ストリームにマッピングされる。ここで、当該一部は、第２のクライアントデバイスに対応する。実施形態において、上述した大行列Ｐの列の一部が利用される。ここで、当該一部は、第２のクライアントデバイスに対応する。他の複数の実施形態では、別の適切なマッピング行列の列の一部分が利用される。実施形態において、大行列Ｐの第１の列の一部が使用される。他の複数の実施形態において、大行列Ｐの第１の列以外の列の一部が使用される。実施形態において、ブロック９６６及び９７４において同一の列が使用される。
【００７７】
ブロック９７８において、複数の信号ストリームが空間ストリームにマッピングされる。実施形態において、複数の信号ストリームは、上述した行列Ｑを使用して、複数の空間ストリームにマッピングされる。他の複数の実施形態において、他の適切な複数の行列が利用される。実施形態において、ブロック９７８は、空間マッピングブロック３１６により実装される。しかしながら、他の複数の実施形態では、ＰＨＹ処理ユニット及び／又はネットワークインタフェースの別の適切なブロックが、ブロック９７８を実装する。
【００７８】
ブロック９８２において、マルチユーザＰＨＹデータユニットが送信される。例えば、実施形態において、方法９５０を実装するＰＨＹ処理ユニットは、少なくとも部分的に、ＰＨＹデータユニットを送信させる。ブロック９８２は、複数の空間ストリームを介して、少なくともｉ）複数のトレーニングフィールド、ｉｉ）第１の信号フィールド、及びｉｉｉ）第２の信号フィールドを送信する（又は送信させる）ことを含む。
【００７９】
図１１は、実施形態に係る、ＰＨＹデータユニットのＯＦＤＭシンボルを生成するための例示の方法１０００のフロー図である。方法１０００は、いくつかの実施形態において、ＰＨＹ処理ユニット２０（図１）、ＰＨＹ処理ユニット２９（図１）及び／又はＰＨＹ処理ユニット３００（図３）などのＰＨＹ処理ユニットによって少なくとも部分的に実装される。他の複数の実施形態では、その他の適切な複数のＰＨＹ処理ユニット及び／又は複数のネットワークインタフェースが、方法１０００を実装する。
【００８０】
ブロック１００２において、複数の情報ビットが、ＯＦＤＭシンボルに含まれるべき複数のコード化された複数の情報ビットを生成するために、エンコードされる。複数の情報ビットは、第１の帯域幅に対応し、ＯＦＤＭシンボルは、第２の帯域幅に対応するいくつかのデータサブキャリアを含む。ここで、第２の帯域幅は、第１の帯域幅より大きい。例えば、様々な実施形態及び／又はシナリオにおいて、複数の情報ビットは、１ＭＨｚ帯域幅、２ＭＨｚ帯域幅、４ＭＨｚ帯域幅、２０ＭＨｚ帯域幅、４０ＭＨｚ帯域幅又は別の適切な基底チャネル帯域幅などの基底チャネル帯域幅Ｂに対応し、ＯＦＤＭシンボルは、基底帯域幅より大きい、例えばｍＢ帯域幅チャネルのチャネル帯域幅に対応するいくつかのデータトーンを含む。ここで、ｍは１より大きい適切な整数である。
【００８１】
ブロック１００４において、複数のコード化されたビットは、複数のコンスタレーションシンボルにマッピングされる。ブロック１００６において、複数のコンスタレーションシンボルは、ＯＦＤＭシンボルの第１の周波数部分に対応する第１の複数のデータサブキャリアにマッピングされる。
【００８２】
ブロック１００８において、第１の複数のデータサブキャリアにおける１つ又は複数のデータサブキャリアのセットは、予め定められた複数の値に設定される。例えば、実施形態において、サブキャリアのセットのうちの少なくともいくつかのサブキャリアが、値「＋１」又はいくつかの他の適切な値に設定される。別の例として、実施形態において、サブキャリアのセットのうちの少なくともいくつかのサブキャリアが、値「−１」又はいくつかの他の適切な値に設定される。別の例として、実施形態において、サブキャリアのセットのうちの少なくともいくつかのサブキャリアが、ヌル値に設定される。実施形態において、ブロック１００６は、図３のトーン複製及び挿入ブロック３０８によって実装される。別の実施形態において、ネットワークインタフェースの別の適切な処理ブロックがブロック１００６を実装する。
【００８３】
ブロック１０１０において、複数のコンスタレーションシンボルは、ＯＦＤＭシンボルの第２の周波数部分に対応する第２の複数のデータサブキャリアにマッピングされる。例えば、図３のトーン複製及び挿入ブロック３０８が、信号フィールドを、ＯＦＤＭシンボルの第２の周波数部分に対応する第２の複数のデータサブキャリアにマッピングする。別の実施形態において、ネットワークインタフェースの別の適切な処理ブロックが、ブロック１０１０を実装する。
【００８４】
ブロック１０１２において、第２の複数のデータサブキャリアにおける１つ又は複数のデータサブキャリアのセットが、予め定められた複数の値に設定される。例えば、実施形態において、サブキャリアのセットにおける少なくともいくつかのサブキャリアが、値「＋１」又はいくつかの他の適切な値に設定される。別の例として、実施形態において、サブキャリアのセットにおける少なくともいくつかのサブキャリアが、値「−１」又はいくつかの他の適切な値に設定される。別の例として、実施形態において、サブキャリアのセットにおける少なくともいくつかのサブキャリアが、ヌル値に設定される。実施形態において、ブロック１０１２は、図３のトーン複製及び挿入ブロック３０８によって実装される。別の実施形態において、ネットワークインタフェースの別の適切な処理ブロックが、ブロック１０１２を実装する。
【００８５】
ブロック１０１４において、ＯＦＤＭシンボルは、少なくとも第１の複数のデータサブキャリア及び第２の複数のデータサブキャリアを含むように生成される。実施形態において、ＯＦＤＭシンボルは、（ｉ）複数のガードトーン、（ｉｉ）複数のＤＣトーン、及び（ｉｉｉ）複数のパイロットトーンの１つ又は複数をさらに含むように生成される。実施形態において、ＯＦＤＭシンボルは、例えばＩＥＥＥ８０２．１１ｎ規格又はＩＥＥＥ８０２．１１ａｃ規格などの短距離通信プロトコルによって定義されるフォーマットに準拠する。別の実施形態において、ＯＦＤＭシンボルは、ＩＥＥＥ８０２．１１ａｈ規格又はＩＥＥＥ８０２．１１ａｆ規格などの通信プロトコルに準拠し、短距離通信プロトコルに準拠するＯＦＤＭシンボルのダウンクロックされた（例えば、いくつかのトーン及び／又はビット割り当てを伴う）バージョンである。他の複数の実施形態において、ＯＦＤＭシンボルは、他の適切な１つ又は複数の通信プロトコルに準拠する。
【００８６】
実施形態において、ＯＦＤＭシンボルは、データユニットのプリアンブルに含まれることになる。例えば、いくつかの実施形態及び／又はシナリオにおいて、ＯＦＤＭシンボルは、プリアンブルに含まれることになる信号フィールド又はトレーニングフィールドに対応する。他の複数の実施形態及び／又はシナリオにおいて、ＯＦＤＭシンボルは、データユニットのデータ部分に含まれることになる。
【００８７】
上述した様々なブロック、オペレーション及び技術の少なくともいくつかは、ハードウェア、複数のファームウェア命令を実行するプロセッサ、複数のソフトウェア命令を実行するプロセッサ又はそれらの任意の組み合わせを利用して実装されてよい。複数のソフトウェア又はファームウェア命令を実行するプロセッサを利用して実装される場合、複数のソフトウェア又はファームウェア命令は、磁気ディスク、光ディスク、ＲＡＭ、ＲＯＭ、フラッシュメモリ、ハードディスクドライブ、光ディスクドライブ、テープドライブ等のような、任意の有体、非有体のコンピュータ可読記憶媒体又は複数の媒体に格納されてよい。複数のソフトウェア又はファームウェア命令は、１つ又は複数プロセッサによって実行された場合に、１つ又は複数のプロセッサに様々な動作を実行させる複数の機械可読命令を含んでよい。
【００８８】
ハードウェアで実装される場合、ハードウェアは、１つ又は複数の別個のコンポーネント、集積回路、特定用途向け集積回路（ＡＳＩＣ）、プログラマブルロジックデバイス等を備えてよい。
【００８９】
第１の実施形態によると、通信チャネルを介して送信されるデータユニットの直交周波数分割多重化（ＯＦＤＭ）シンボルを生成する方法は、複数の情報ビットをエンコードして、ＯＦＤＭシンボルに含まれるべき複数のコード化されたビットを生成する段階を含む。複数の情報ビットが、第１の帯域幅に対応し、ＯＦＤＭシンボルが、第２の帯域幅に対応するいくつかのデータトーンを含み、第２の帯域幅が第１の帯域幅より大きい。方法はまた、複数のコード化されたビットを複数のコンスタレーションシンボルにマッピングする段階と、複数のコンスタレーションシンボルを、ＯＦＤＭシンボルの第１の部分に対応する第１の複数のデータサブキャリアにマッピングする段階とを含む。方法はさらに、第１の複数のデータサブキャリアにおけるデータサブキャリアのサブセットを１つ又は複数の予め定められた値に設定する段階を含む。さらに、方法は更に、記複数のコンスタレーションシンボルを、ＯＦＤＭシンボルの第２の部分に対応する第２の複数のデータサブキャリアにマッピングする段階と、第２の複数のデータサブキャリアにおけるデータサブキャリアのサブセットを１つ又は複数の予め定められた値に設定する段階とを含む。方法は更に、少なくとも第１の複数のデータサブキャリア及び第２の複数のデータサブキャリアを含むようにＯＦＤＭシンボルを生成する段階を含む。
【００９０】
他の複数の実施形態において、方法は、次に続く複数の特徴の１つ又は複数の任意の組み合わせを含む。
【００９１】
第１の複数のデータサブキャリアにおけるデータサブキャリアのサブセットを１つ又は複数の予め定められた値に設定する段階は、第１の複数のデータサブキャリアにおけるデータサブキャリアのサブセットにおける少なくとも１つのデータサブキャリアをヌル値に設定する段階を備える。
【００９２】
第２の複数のデータサブキャリアにおけるデータサブキャリアのサブセットを１つ又は複数の予め定められた値に設定する段階は、第２の複数のデータサブキャリアにおけるデータサブキャリアのサブセットにおける少なくとも１つのデータサブキャリアをヌル値に設定する段階を備える。
【００９３】
第１の複数のデータサブキャリアにおけるデータサブキャリアのサブセットを１つ又は複数の予め定められた値に設定する段階は、第１の複数のデータサブキャリアにおけるデータサブキャリアのサブセットにおける少なくとも１つのデータサブキャリアを非ゼロ値に設定する段階を備える。
【００９４】
第２の複数のデータサブキャリアにおけるデータサブキャリアのサブセットを１つ又は複数の予め定められた値に設定する段階は、第２の複数のデータサブキャリアにおけるデータサブキャリアのサブセットにおける少なくとも１つのデータサブキャリアを非ゼロ値に設定する段階を備える。
【００９５】
方法は、複数のコンスタレーションシンボルを、ＯＦＤＭシンボルの第３の部分に対応する第３の複数のデータサブキャリアにマッピングする段階と、第３の複数のデータサブキャリアにおけるデータサブキャリアのサブセットを１つ又は複数の予め定められた値に設定する段階とをさらに備える。
【００９６】
ＯＦＤＭシンボルを生成する段階は、第３の複数のデータサブキャリアをＯＦＤＭシンボルに含める段階をさらに備える。
【００９７】
方法は、物理層（ＰＨＹ）データユニットのプリアンブルを生成する段階をさらに備え、プリアンブルは、ＯＦＤＭシンボルを含む。
【００９８】
方法は、物理層（ＰＨＹ）データユニットのデータ部分を生成する段階をさらに備え、データ部分は、ＯＦＤＭシンボルを含む。
【００９９】
方法は、複数の情報ビットをエンコードする前に、（ｉ）１つ又は複数の追加ビットを複数の情報ビットに挿入し（ｉｉ）複数の情報ビット及び追加ビットを複製して、複数の複製されたビットを生成する段階をさらに備え、複数の情報ビットをエンコードする段階は、複数の複製されたビットをエンコードする段階を備える。
【０１００】
第１の帯域幅は帯域幅Ｂに対応し、第２の帯域幅は帯域幅ｍＢに対応し、ｍは整数である。
【０１０１】
別の実施形態において、装置は、複数の情報ビットをエンコードして、ＯＦＤＭシンボルに含まれるべき複数のコード化されたビットを生成するよう構成されたネットワークインタフェースを備える。複数の情報ビットが、第１の帯域幅に対応し、ＯＦＤＭシンボルが、第２の帯域幅に対応するいくつかのデータトーンを含み、第２の帯域幅が第１の帯域幅より大きい。ネットワークインタフェースはまた、複数のコード化されたビットを複数のコンスタレーションシンボルにマッピングし、複数のコンスタレーションシンボルを、ＯＦＤＭシンボルの第１の部分に対応する第１の複数のデータサブキャリアにマッピングするよう構成される。ネットワークインタフェースはまた、第１の複数のデータサブキャリアにおけるデータサブキャリアのサブセットを１つ又は複数の予め定められた値に設定するよう構成される。さらに、ネットワークインタフェースは更に、複数のコンスタレーションシンボルを、ＯＦＤＭシンボルの第２の部分に対応する第２の複数のデータサブキャリアにマッピングし、第２の複数のデータサブキャリアにおけるデータサブキャリアのサブセットを１つ又は複数の予め定められた値に設定するよう構成される。ネットワークインタフェースは更に、第１の部分に対応する複数のデータサブキャリア及び第２の部分に対応する複数のデータサブキャリアを少なくとも含むようにＯＦＤＭシンボルを生成するよう構成される。
【０１０２】
他の実施形態において、装置は、次に続く複数の特徴の１つ又は複数の任意の組み合わせを含む。
【０１０３】
ネットワークインタフェースは、（ｉ）複数のガードトーン、（ｉｉ）複数の直流（ＤＣ）トーン及び（ｉｉｉ）複数のパイロットトーンのうちの１つ又は複数をＯＦＤＭシンボルに含めるようさらに構成される。
【０１０４】
第１の複数のデータサブキャリアにおけるデータサブキャリアのサブセットを１つ又は複数の予め定められた値に設定することは、第１の複数のデータサブキャリアにおけるデータサブキャリアのサブセットにおける少なくとも１つのデータサブキャリアをヌル値に設定することを備える。
【０１０５】
第２の複数のデータサブキャリアにおけるデータサブキャリアのサブセットを１つ又は複数の予め定められた値に設定することは、第２の複数のデータサブキャリアにおけるデータサブキャリアのサブセットにおける少なくとも１つのデータサブキャリアをヌル値に設定することを備える。
【０１０６】
第１の複数のデータサブキャリアにおけるデータサブキャリアのサブセットを１つ又は複数の予め定められた値に設定することは、第１の複数のデータサブキャリアにおけるデータサブキャリアのサブセットにおける少なくとも１つのデータサブキャリアを非ゼロ値に設定することを備える。
【０１０７】
第２の複数のデータサブキャリアにおけるデータサブキャリアのサブセットを１つ又は複数の予め定められた値に設定することは、第２の複数のデータサブキャリアにおけるデータサブキャリアのサブセットにおける少なくとも１つのデータサブキャリアを非ゼロ値に設定することを備える。
【０１０８】
ネットワークインタフェースは、複数のコンスタレーションシンボルを、ＯＦＤＭシンボルの第３の部分に対応する第３の複数のデータサブキャリアにマッピングし、第３の複数のデータサブキャリアにおけるデータサブキャリアのサブセットを１つ又は複数の予め定められた値にマッピングし、第３の複数のデータサブキャリアをさらに含むようにＯＦＤＭシンボルを生成するようさらに構成される。
【０１０９】
ネットワークインタフェースは、物理層（ＰＨＹ）データユニットのプリアンブルを生成するようさらに構成され、プリアンブルは、ＯＦＤＭシンボルを含む。
【０１１０】
ネットワークインタフェースは、物理層（ＰＨＹ）データユニットのデータ部分を生成するようさらに構成され、データ部分は、ＯＦＤＭシンボルを含む。
【０１１１】
ネットワークインタフェースは、１つ又は複数の追加ビットを複数の情報ビットに挿入し、複数の情報ビットをエンコードする前に、複数の情報ビット及び追加ビットを複製して、複数の複製されたビットを生成するようさらに構成され、複数の情報ビットをエンコードすることは、複数の複製されたビットをエンコードすることを備える。
【０１１２】
第１の帯域幅は帯域幅Ｂに対応し、第２の帯域幅は帯域幅ｍＢに対応し、ｍは整数である。
【０１１３】
発明を限定するのではなく単に例示することを意図した複数の特定の例を参照して本発明が説明されたものの、発明の範囲から離れることなく、開示された複数の実施形態に対して様々な変更、追加及び／又は削除がなされてよい。
【図１】
2015534771.tif 000007
【図２】
2015534771.tif 000008
【図３】
2015534771.tif 000009
【図４】
2015534771.tif 000010
【図５】
2015534771.tif 000011
【図６】
2015534771.tif 000012
【図７】
2015534771.tif 000013
【図８】
2015534771.tif 000014
【図９】
2015534771.tif 000015
【図１０】
2015534771.tif 000016
【図１１】
2015534771.tif 000017
【国際調査報告】
2015534771.tif 000018
2015534771.tif 000019